(57)【要約】【課題】シンクとカウンターとを別々に取り付けおよび取り外すことができ、かつシンクユニットの施工性および製造コストにおいて優れるシンクの取付方法および取付構造を提供する。【解決手段】本発明のシンクの取付方法は、カウンター１をキャビネット２に取り付ける工程、カウンター１の開口部１１に合わせて、シンク３が設置された昇降装置４をキャビネット２に配置する工程、および昇降装置４によりシンク３の高さ位置を調節して、シンク３の周縁部に形成したフランジ部３１の表面とカウンター１の開口部１１の周縁部１２の裏面とを当接させて接合する工程を備える。【選択図】図１
2016195664.tif 000002
【特許請求の範囲】
【請求項１】
カウンターをキャビネットに取り付ける工程、
前記カウンターの開口部に合わせて、シンクが設置された昇降装置を前記キャビネットに配置する工程、および
前記昇降装置により前記シンクの高さ位置を調節して、前記シンクの周縁部に形成したフランジ部の表面と前記カウンターの前記開口部の周縁部の裏面とを当接させて接合する工程を備えることを特徴とするシンクの取付方法。
【請求項２】
前記キャビネットの側面部に設けた桟部の上面に沿ってスライドさせて、前記昇降装置を前記キャビネットに配置することを特徴とする請求項１に記載のシンクの取付方法。
【請求項３】
キャビネットに取り付けられたカウンターの開口部の周縁部の裏面と、シンクの周縁部に形成したフランジ部の表面とを当接させて接合するシンクの取付構造において、
前記シンクが、前記シンクを挿入可能な開口部と、前記シンクの前記フランジ部を載置可能な支持部材と、前記シンクの高さ位置を調節可能な高さ調節部材とを有する昇降装置に設置されていることを特徴とするシンクの取付構造。
【請求項４】
前記キャビネットの側面部に桟部が設けられており、前記桟部の上面に沿って前記昇降装置がスライド可能であることを特徴とする請求項３に記載のシンクの取付構造。
【発明の詳細な説明】
【技術分野】
【０００１】
本発明は、シンクの取付方法および取付構造に関する。
【背景技術】
【０００２】
従来、キッチン等で使用されるシンクユニットを組み立てる手順としては、まず、工場においてカウンターの裏面に接着剤もしくは溶接によりシンクを取り付け、次いで、施工現場においてシンクと一体化したカウンターをキャビネット等に取り付ける方法がある。なお、シンクユニットとは、主に、カウンター、キャビネットおよびシンクから構成されるものを指す。
【０００３】
また、リフォームや修理等の際にカウンターとシンクとを別々に取り外すことができるようにする観点から、これまでに、接着剤による接着もしくは溶接を必要としないシンクの取付構造が提案されている。例えば、特許文献１では、カウンターのシンク用開口の周縁部の裏面に取付用凸部を突設し、この取付用凸部に、シンクの周縁部に形成したフランジ部に連設した取付片を、止具を介して取り付ける構造とすることが提案されている。
【０００４】
また、特許文献２では、カウンターが取り付けられるキャビネットを構成する側板の上端部もしくは上端部近傍に、内側方に突出する取付片を突設し、この取付片上にシンクのフランジ部を載置して固定具により固定する構造とすることが提案されている。
【先行技術文献】
【特許文献】
【０００５】
【特許文献１】特開２００２−３３６０６３号公報
【特許文献２】特開２００２−３４８９３０号公報
【発明の概要】
【発明が解決しようとする課題】
【０００６】
しかしながら、このような従来のシンクの取付構造においては、接着もしくは溶接を必要としないという点で工場での工数は減少するものの、施工現場での取り付けに想定以上の時間を要し、全体的な製造コストの増加につながる場合があることが懸念されていた。例えば、所定の位置にカウンターおよびシンクを取り付けていても、カウンターとシンクとの間に部分的に隙間が生じ、防水性の確保やレベル調整のために目地材等を当該隙間に充填してコーキングしなければならない場合がある。
【０００７】
また、カウンターもしくはカウンターに設けた取付用部材と固定具とでシンクを支える構造とした場合、カウンターにはシンクの重さに耐え得る程度の強度が求められる。そのため、例えば、所望の性能や表面の意匠性等を考慮してカウンターの厚みをより薄くすることが困難であるなど、シンクユニットのバリエーションを確保する観点からは、シンクの取付方法に関してさらなる改良が求められていた。
【０００８】
本発明は、以上のとおりの事情に鑑みてなされたものであり、シンクとカウンターとを別々に取り付けおよび取り外すことができ、かつシンクユニットの施工性および製造コストにおいて優れるシンクの取付方法および取付構造を提供することを目的としている。
【課題を解決するための手段】
【０００９】
上記の目的を達成するために、本発明のシンクの取付方法は、カウンターをキャビネットに取り付ける工程、前記カウンターの開口部に合わせて、シンクが設置された昇降装置を前記キャビネットに配置する工程、および前記昇降装置により前記シンクの高さ位置を調節して、前記シンクの周縁部に形成したフランジ部の表面と前記カウンターの前記開口部の周縁部の裏面とを当接させて接合する工程を備えることを特徴としている。
【００１０】
また、本発明のシンクの取付構造は、キャビネットに取り付けられたカウンターの開口部の周縁部の裏面と、シンクの周縁部に形成したフランジ部の表面とを当接させて接合するシンクの取付構造において、前記シンクが、前記シンクを挿入可能な開口部と、前記シンクの前記フランジ部を載置可能な支持部材と、前記シンクの高さ位置を調節可能な高さ調節部材とを有する昇降装置に設置されていることを特徴としている。
【発明の効果】
【００１１】
本発明によれば、シンクとカウンターとを別々に取り付けおよび取り外すことができ、かつシンクユニットの施工性および製造コストにおいて優れるシンクの取付方法および取付構造が提供される。
【図面の簡単な説明】
【００１２】
【図１】本発明のシンクの取付構造の一例を示す模式図である。（ａ）は、水平方向からの平面視であり、（ｂ）は、（ａ）におけるＡ−Ａ断面を模式的に説明する図である。
【図２】本発明のシンクの取付構造を有するシンクユニットの構成の一例を示す模式斜視図である。
【図３】本発明のシンクの取付方法の一実施形態を示す模式平面図である。（ａ）は第１工程、（ｂ）は第２工程、（ｃ）は第３工程を示す。
【発明を実施するための形態】
【００１３】
以下、本発明の実施形態について、図面を参照しつつ詳細に説明する。図１は、本発明のシンクの取付構造の一例を示す模式図である。図１（ａ）は、水平方向からの平面視であり、図１（ｂ）は、図１（ａ）におけるＡ−Ａ断面を模式的に説明する図である。図２は、本発明のシンクの取付構造を有するシンクユニットの構成の一例を示す模式斜視図である。
【００１４】
本実施形態に係るシンクの取付構造では、図１（ａ）、図１（ｂ）に例示したように、カウンター１がキャビネット２に取り付けられ、カウンター１の開口部１１の周縁部１２の裏面と、シンク３の周縁部に形成したフランジ部３１の表面とを当接させて接合する。このシンクの取付構造においては、図２に例示したように、シンク３が、シンク３を挿入可能な開口部４１と、シンク３のフランジ部３１を載置可能な支持部材４２と、シンク３の高さ位置を調節可能な高さ調節部材４３とを有する昇降装置４に設置されている。
【００１５】
また、本実施形態に係るシンクの取付構造においては、図１（ａ）および図２に例示したように、キャビネット２の側面部２１に桟部２２が設けられており、桟部２２の上面に沿って昇降装置４がスライド可能であることが好ましい。
【００１６】
より具体的には、本実施形態に係るシンクの取付構造を有するシンクユニットは、図２に例示したように、主に、カウンター１、キャビネット２、シンク３および昇降装置４から構成されている。
【００１７】
カウンター１は、シンク用の開口部１１を有しており、開口部１１の周縁部１２の裏面が、シンク３のフランジ部３１との接合面となるように構成されている。
【００１８】
キャビネット２は、対向する一対の側面部２１と、背面部２３とを有しており、側面部２１の上面および背面部２３の上面にカウンター１が取り付けられるように構成されている。
【００１９】
また、キャビネット２は、シンク３が設置された昇降装置４が配置されるように構成されている。例えば、図１（ａ）および図２に例示したように、キャビネット２の側面部２１の上端部から一定の間隔を空けた位置に、内側に向けて突出する一対の桟部２２を設けることができる。桟部２２は、キャビネット２の奥行き方向に向かって延びており、その奥行き側の端部が背面部２３と当接している。桟部２２の幅は、昇降装置４の高さ調節部材４３を設置することができるように調整されている。また、桟部２２の厚みは、昇降装置４の重さに耐えることができるように調整されている。なお、桟部２２の設置位置は、昇降装置４および昇降装置４に設置されるシンク３のサイズに応じて適宜設定することができる。
【００２０】
本実施形態では、キャビネット２の桟部２２の上面に沿って昇降装置４をスライドさせて、カウンター１の開口部１１に合わせて昇降装置４をキャビネット２に配置することができる。このような構成とすることにより、施工時およびリフォームや修理時において、キャビネット２の前面から昇降装置４をより容易に出し入れすることが可能となり、シンクユニットの施工性がより向上する。
【００２１】
シンク３の周縁部には、外方に向けて延出するフランジ部３１が形成されており、フランジ部３１の表面がカウンター１の開口部１１の周縁部１２の裏面と当接して、カウンター１とシンク３とが接合されるように構成されている。なお、シンク３の開口部３２は、カウンター１の開口部１１の形状に合わせた開口形状を有している。
【００２２】
フランジ部３１の形状は、カウンター１とシンク３との接合性を考慮して適宜設計することができる。また、防水性をより向上させる観点等から、フランジ部３１の上面には、必要に応じて、パッキン材等の付加的な要素部材が設けられていてもよい。
【００２３】
なお、カウンター１およびシンク３の材質は特に限定されず、例えば、ステンレス製等の金属製、合成樹脂製等、いずれであってもよい。例えば、人造大理石からなるカウンター１とステンレス製のシンク３との組み合わせが挙げられるが、これに限定されない。
【００２４】
昇降装置４は、シンク３を挿入可能な開口部４１と、シンク３のフランジ部３１を載置可能な支持部材４２と、シンク３の高さ位置を調節可能な高さ調節部材４３とを有している。
【００２５】
支持部材４２は、矩形断面を有する２本の第一支持部材４２ａと、２本の第二支持部材４２ｂとにより構成されている。より具体的には、カウンター１の長手方向に延びる２本の第一支持部材４２ａが対向して配置され、第一支持部材４２ａの内側に、カウンター１の短手方向に延びる２本の第二支持部材４２ｂが対向して配置されて、第一支持部材４２ａを連結している。そして、各々対向する第一支持部材４２ａと第二支持部材４２ｂとによって、開口部４１が形成されている。
【００２６】
なお、支持部材４２を構成する第一支持部材４２ａおよび第二支持部材４２ｂの形状は、シンク３のフランジ部３１の形状に応じて適宜設計することができ、フランジ部３１を載置してシンク３を安定して支持することができる限りにおいて特に制限されない。また、第一支持部材４２ａおよび第二支持部材４２ｂの材質は特に限定されず、シンク３の重さに耐え得るものであること等を考慮して適宜選択することができる。例えば、第一支持部材４２ａおよび第二支持部材４２ｂは木質材であってもよく、また、中空のアルミニウム材等の金属製であってもよい。
【００２７】
第一支持部材４２ａの両端部の下面には、高さ調節部材４３が配置されている。高さ調節部材４３としては、シンク３の高さ位置を調節可能である限りにおいて特に制限されず、例えば、アジャスターボルト等の一般に利用可能な各種の部材を用いることができる。なお、高さ調節部材４３としてアジャスターボルトを用いる場合には、例えば、第一支持部材４２ａの下面に、アジャスターボルトの雄ネジ部を螺合可能な雌ネジ部（図示せず）を設けることができる。そして、アジャスターボルトの雄ネジ部の螺合具合を調整することによって、シンク３の高さ位置を調節することができる。
【００２８】
また、高さ調節部材４３の数は、支持部材４２の構成、シンク３の重さ、キャビネット２の構造等に応じて適宜設定することができる。
【００２９】
このように、昇降装置４にシンク３を設置し、昇降装置４の高さ調節部材４３によってシンク３の高さ位置を調節する構成とすることによって、シンク３とカウンター１とを別々に取り付けおよび取り外すことができる。また、ネジ等の固定具を用いる従来の取付構造と比べて、より簡便にシンク３の取り付けおよび取り外しが可能となるため、施工性が向上し、製造コストにおいても優れている。
【００３０】
また、昇降装置４が複数の高さ調節部材４３を有していることによって、例えば、カウンター１とシンク３との当接具合を調整したり、施工現場に応じてレベル調整をしたりする際に、高さ調節部材４３を個別に操作することで微調整が可能となる。そのため、カウンター１とシンク３との接合性の確保がより容易になり、施工性が向上する。
【００３１】
次に、本発明のシンクの取付方法の実施形態について説明する。図３は、本発明のシンクの取付方法の一実施形態を示す模式平面図である。図３（ａ）は第１工程、図３（ｂ）は第２工程、図３（ｃ）は第３工程を示す。
【００３２】
本実施形態に係るシンクの取付方法は、カウンター１をキャビネット２に取り付ける工程と、カウンター１の開口部１１に合わせて、シンク３が設置された昇降装置４をキャビネット２に配置する工程を備える。また、昇降装置４によりシンク３の高さ位置を調節して、シンク３の周縁部に形成したフランジ部３１の表面とカウンター１の開口部１１の周縁部１２の裏面とを当接させて接合する工程を備える。
【００３３】
より具体的には、本実施形態に係るシンクの取付方法の第１工程では、図３（ａ）に例示したように、カウンター１をキャビネット２の側面部２１の上面に取り付ける。なお、カウンター１の取付形態としては、例えば、接着剤を使用することができる。また、一般に利用可能な各種の取付具を用いて、カウンター１を取り付けることもできる。
【００３４】
次に、第２工程では、図３（ｂ）に例示したように、カウンター１の開口部１１に合わせて、シンク３が設置された昇降装置４をキャビネット２に配置する。本実施形態では、キャビネット２の側面部２１に設けられた桟部２２の上面に、昇降装置４の高さ調節部材４３を載置することにより、昇降装置４がキャビネット２に配置されている。また、このとき、シンク３のフランジ部３１が、カウンター１の開口部１１の周縁部１２と対向するように昇降装置４の配置位置を調整する。
【００３５】
そして、第３工程では、図３（ｃ）に例示したように、昇降装置４の高さ調節部材４３によりシンク３の高さ位置を上昇させて、シンク３のフランジ部３１の表面とカウンター１の開口部１１の周縁部１２の裏面とを当接させて接合する。本実施形態では、昇降装置４によりシンク３の高さ位置を調節して、シンク３とカウンター１と確実に当接させることができるため、接着剤を用いることなく、シンク３とカウンター１とを接合することができる。なお、防水性をより向上させる観点等から、必要に応じて、シンク３とカウンター１との当接面に接着剤等を適用して、シンク３とカウンター１とを接合するようにしてもよい。
【００３６】
このようにして、本実施形態に係るシンクの取付構造を有するシンクユニットを製造することができる。
【００３７】
ここで、本実施形態に係るシンクの取付方法においては、上記第２工程において、キャビネット２の側面部２１に設けた桟部２２の上面に沿ってスライドさせて、昇降装置４をキャビネット２に配置することが好ましい。このようにすると、施工時およびリフォームや修理時において、キャビネット２の前面から昇降装置４の出し入れが可能となるため、シンク３とカウンター１とを別々に取り付けおよび取り外すことができ、シンクユニットの施工性がより向上する。
【００３８】
以上、本発明の実施形態を詳述してきたが、具体的な形態はこれらの実施形態に限られるものではなく、本発明の要旨を逸脱しない範囲における設計の変更等があっても本発明に含まれる。
【符号の説明】
【００３９】
１  カウンター
１１  開口部
１２  周縁部
２  キャビネット
２１  側面部
２２  桟部
３  シンク
３１  フランジ部
４  昇降装置
４１  開口部
４２  支持部材
４３  高さ調節部材
【図１】
2016195664.tif 000003
【図２】
2016195664.tif 000004
【図３】
2016195664.tif 000005